(57)【要約】【課題】自動制御等によって変更されたブラインドの状態が所望の状態でない場合に、所望のブラインドの状態に戻すことの可能なブラインド及びブラインド制御システムを提供する。【解決手段】ブラインド１５０の状態を制御する制御部１５４と、任意の時点におけるブラインド１５０の状態に関する状態情報を記憶する記憶部１５４とを備え、制御部１５４は、ブラインド１５０の状態の復元を指示する状態復元信号を受信すると、第２記憶部１５６−２に記憶された状態情報に基づいて、ブラインド１５０の状態を制御する。ブラインド１５０がどのような状態であっても、状態復元信号を受信することによって、記憶部１５６−２に記憶された状態情報に基づいてブラインド１５０の状態を制御することができる。【選択図】図３
2015229859.tif 000002
【特許請求の範囲】
【請求項１】
ブラインド（１５０、２５０）の状態を制御する状態制御手段（１５４、２５４）と、
任意の時点におけるブラインドの状態に関する状態情報を記憶する状態情報記憶手段（１５６−２、２５６−２）と、
を備え、
前記状態制御手段は、ブラインドの状態の復元を指示する状態復元信号を受信すると、前記状態情報記憶手段に記憶された前記状態情報に基づいて、前記任意の時点における状態にブラインドの状態を制御することを特徴とする、ブラインド。
【請求項２】
前記状態情報記憶手段は、複数の前記状態情報を記憶可能であり、
前記状態復元信号には、前記状態情報記憶手段に記憶された複数の状態情報のうちの一つを選択するための情報が含まれることを特徴とする、請求項１に記載のブラインド。
【請求項３】
前記状態情報記憶手段は、前記任意の時点において、ブラインドの状態に関する状態情報を記憶するよう指示する信号を受信すると、該受信した時点におけるブラインドの状態に関する状態情報を記憶することを特徴とする、請求項１又は２に記載のブラインド。
【請求項４】
複数のブラインド（１５０、２５０）と、
前記複数のブラインドに接続されてブラインドの状態を制御する中央制御装置（１４０、２４０）と、
１又は２以上のブラインドに接続されるコントローラ（１５２、２５２）と、
を備え、
前記各ブラインドには、前記中央制御装置又は前記コントローラから、ブラインドの状態を制御する状態制御信号が送信されるブラインド制御システムにおいて、
前記各ブラインドは、
ブラインドの状態を制御する状態制御手段（１５４、２５４）と、
任意の時点におけるブラインドの状態に関する状態情報を記憶する状態情報記憶手段（１５６−２、２５６−２）と、
を備え、
前記状態制御手段は、前記ブラインドの状態に関する状態情報を記憶した後に、前記中央制御装置又は前記コントローラからブラインドの状態の復元を指示する状態復元信号を受信すると、前記状態情報記憶手段に記憶された状態情報に基づいて、ブラインドの状態を制御することを特徴とする、ブラインド制御システム。
【請求項５】
前記状態情報記憶手段は、複数の前記状態情報を記憶可能であり、
前記状態復元信号には、前記状態情報記憶手段に記憶された複数の状態情報のうちの一つを選択するための情報が含まれることを特徴とする、請求項４に記載のブラインド制御システム。
【請求項６】
前記中央制御装置と連動してブラインドの制御を行う外部制御装置（２６０）をさらに備え、
前記外部制御装置から前記中央制御装置に通達信号が送信されている連動時には、前記通達信号が送信された時点における前記状態情報を前記状態情報記憶手段に記憶し、
前記中央制御装置と前記外部制御装置との連動が解除されると、前記中央制御装置は、前記状態復元信号を送信することを特徴とする、請求項４又は５に記載のブラインド制御システム。
【請求項７】
前記中央制御装置は、前記各ブラインドに対して所定周期で制御信号を送信し、
前記各ブラインドは、前記中央制御装置からの制御が優先されるリモートモードと、前記コントローラからの制御が優先されるローカルモードのいずれかにより制御され、
前記リモートモードにおいて、前記外部制御装置から通達信号が送信される連動時には、前記通達信号受信時点におけるブラインドの状態又は前記所定周期で送信される制御信号に基づいたブラインドの状態のうち少なくとも一方が、前記状態情報記憶手段に記憶され、
前記通達信号を受信後に、前記中央制御装置と前記外部制御装置との連動が解除されると、前記各ブラインドは、前記状態情報記憶手段に最後に記憶された状態になることを特徴とする、請求項６に記載のブラインド制御システム。
【請求項８】
前記中央制御装置は、前記各ブラインドに対して所定周期で制御信号を送信し、
前記各ブラインドは、前記中央制御装置からの制御が優先されるリモートモードと、前記コントローラからの制御が優先されるローカルモードのいずれかにより制御され、
前記ローカルモードにおいて、前記外部制御装置から通達信号が送信される連動時には、前記通達信号受信時点におけるブラインドの状態又は前記所定周期で送信される制御信号に基づいたブラインドの状態のうち少なくとも一方が、前記状態情報記憶手段に記憶され、
前記通達信号を受信後に、前記中央制御装置と前記外部制御装置との連動が解除されると、前記各ブラインドは、前記通達信号受信時点における状態になることを特徴とする、請求項６又は７に記載のブラインド制御システム。
【発明の詳細な説明】
【技術分野】
【０００１】
本発明は、ブラインド及びブラインド制御システムにかかり、特に、ブラインドの高さや角度などの各種状態が自動制御されるブラインドとその制御システムに関する。
【背景技術】
【０００２】
ブラインド本体に設けられる制御手段や外部の制御手段から自動制御される電動ブラインドが知られている（特許文献１参照）。従来の電動ブラインドの自動制御について、図８を参照しながら概説する。図８において、参照符号１０は制御手段による制御の内容であり、参照符号２０は電動ブラインドに設けられる記憶手段の記憶内容である。制御手段によりブラインドの状態が状態Ａ〜状態Ｅに所定の周期で変更されると、その変更された状態Ａ〜状態Ｅが記憶手段に上書きで記憶される。
【０００３】
このような自動制御において、自動制御の途中で自動制御とは異なる状態に変更される場合がある。ブラインドの状態が変更される場合としては、例えば、ブラインドを自動制御の対象から分離し、ブラインドの状態を所望の状態に変更することができるコントローラによって変更されたり、火災などの緊急時に、外部設備機器と連動して制御される状態となり、自動制御とは異なる割込制御が行われることによって変更されたりする場合がある。
【先行技術文献】
【特許文献】
【０００４】
【特許文献１】特開平３−１６９９９７号公報
【発明の概要】
【発明が解決しようとする課題】
【０００５】
ところで、自動制御によってブラインドの状態が変更された場合、必ずしも所望の状態にならない場合がある。また、自動制御の途中で自動制御とは異なる状態に変更された後に、自動制御に復帰した際のブラインドの状態が所望の状態でない場合がある。このような場合に、ある時点のブラインドの状態に戻したくても、ブラインドの状態は上書きで記憶されてしまうため、過去の時点の所望のブラインドの状態に戻すことができないという問題があった。特に自動制御には、屋外照度に基づいた制御としてソーラー制御があり、一般的なソーラー制御は太陽の位置、直射光の有無の判断によってスラットの角度のみが制御されるため、自動制御の途中でブラインドの高さが変更されてしまうと、自動制御に復帰しても、ブラインドの角度は自動制御によって所望の角度に戻すことができても、ブラインドの高さは自動制御では所望の高さに戻すことができなかった。
【０００６】
そこで、本発明は、このような問題に鑑みてなされたもので、その目的とするところは、自動制御等によって変更されたブラインドの状態が所望の状態でない場合に、所望のブラインドの状態に戻すことの可能なブラインド及びブラインド制御システムを提供することにある。
【課題を解決するための手段】
【０００７】
上記課題を解決するために、本発明の第１の観点によれば、ブラインドの状態を制御する状態制御手段と、任意の時点におけるブラインドの状態に関する状態情報を記憶する状態情報記憶手段と、を備え、前記状態制御手段は、ブラインドの状態の復元を指示する状態復元信号を受信すると、前記状態情報記憶手段に記憶された前記状態情報に基づいて、前記任意の時点における状態にブラインドの状態を制御することを特徴とする、ブラインドが提供される。
【０００８】
かかる構成によれば、ブラインドがどのような状態であっても、状態復元信号を受信することによって、状態情報記憶手段に記憶された状態情報に基づいてブラインドの状態を制御することができる。
【０００９】
本発明のブラインドにおいて、前記状態情報記憶手段は、複数の前記状態情報を記憶可能であり、前記状態復元信号には、前記状態情報記憶手段に記憶された複数の状態情報のうちの一つを選択するための情報が含まれるようにしてもよい。複数の状態情報を記憶できるようにすることで、複数の状態のうち所望の状態を選択して復元することができる。
【００１０】
また、前記状態情報記憶手段は、前記任意の時点において、ブラインドの状態に関する状態情報を記憶するよう指示する信号を受信すると、その受信した時点におけるブラインドの状態に関する状態情報を記憶するようにしてもよい。任意の時点におけるブラインドの状態を記憶できるようにすることで、その後の任意の時点において、記憶しておいた所望の状態に復元することができる。
【００１１】
上記課題を解決するために、本発明の第２の観点によれば、複数のブラインドと、前記複数のブラインドに接続されてブラインドの状態を制御する中央制御装置と、１又は２以上のブラインドに接続されるコントローラと、を備え、前記各ブラインドには、前記中央制御装置又は前記コントローラから、ブラインドの状態を制御する状態制御信号が送信されるブラインド制御システムが提供される。本発明のブラインド制御システムにおいて、前記各ブラインドは、ブラインドの状態を制御する状態制御手段と、任意の時点におけるブラインドの状態に関する状態情報を記憶する状態情報記憶手段と、を備え、前記状態制御手段は、前記ブラインドの状態に関する状態情報を記憶した後に、前記中央制御装置又は前記コントローラからブラインド状態の復元を指示する状態復元信号を受信すると、前記状態情報記憶手段に記憶された状態情報に基づいて、ブラインドの状態を制御することを特徴とする。
【００１２】
かかる構成によれば、任意の時点におけるブラインドの状態に関する状態情報を記憶することによって、中央制御装置による自動制御によりブラインドの状態に変化があっても、その記憶した時点における状態情報に基づいてブラインドの状態を制御することができる。
【００１３】
本発明のブラインド制御システムにおいて、前記状態情報記憶手段は、複数の前記状態情報を記憶可能であり、前記状態復元信号には、前記状態情報記憶手段に記憶された複数の状態情報のうちの一つを選択するための情報が含まれるようにしてもよい。複数の状態情報を記憶できるようにすることで、複数の状態のうち所望の状態を選択して復元することができる。
【００１４】
また、前記中央制御装置と連動してブラインドの制御を行う外部制御装置をさらに備え、前記外部制御装置から前記中央制御装置に通達信号が送信されている連動時には、前記通達信号が送信された時点における前記状態情報を前記状態情報記憶手段に記憶し、前記中央制御装置と前記外部制御装置との連動が解除されると、前記中央制御装置は、前記状態復元信号を送信するようにしてもよい。かかる構成によれば、外部制御装置から通達信号が送信された時点におけるブラインドの状態情報を記憶できるようにしたことで、外部制御装置との連動が解除されたときに、状態復元信号によって記憶した状態情報に基づいてブラインドの状態を制御することができる。
【００１５】
また、前記中央制御装置は、前記各ブラインドに対して所定周期で制御信号を送信し、前記各ブラインドは、前記中央制御装置からの制御が優先されるリモートモードと、前記コントローラからの制御が優先されるローカルモードのいずれかにより制御され、前記リモートモードにおいて、前記外部制御装置から通達信号が送信される連動時には、前記通達信号受信時点におけるブラインドの状態又は前記所定周期で送信される制御信号に基づいたブラインドの状態のうち少なくとも一方が、前記状態情報記憶手段に記憶され、前記通達信号を受信後に、前記中央制御装置と前記外部制御装置との連動が解除されると、前記各ブラインドは、前記状態情報記憶手段に最後に記憶された状態になるようにしてもよい。かかる構成によれば、リモートモード時には、通達信号受信時点におけるブラインドの状態又は所定周期で送信される制御信号に基づいたブラインドの状態のうち少なくとも一方を記憶手段に記憶しておくことができるため、外部制御装置との連動が解除されたときに、記憶しておいた状態情報に基づいてブラインドの状態を制御することができる。よって、自動制御を反映した開閉状態とすることができる。
【００１６】
また、前記中央制御装置は、前記各ブラインドに対して所定周期で制御信号を送信し、前記各ブラインドは、前記中央制御装置からの制御が優先されるリモートモードと、前記コントローラからの制御が優先されるローカルモードのいずれかにより制御され、前記ローカルモードにおいて、前記外部制御装置から通達信号が送信される連動時には、前記通達信号受信時点におけるブラインドの状態又は前記所定周期で送信される制御信号に基づいたブラインドの状態のうち少なくとも一方が、前記状態情報記憶手段に記憶され、前記通達信号を受信後に、前記中央制御装置と前記外部制御装置との連動が解除されると、前記各ブラインドは、前記通達信号受信時点における状態になるようにしてもよい。かかる構成によれば、ローカルモード時には、通達信号受信時点におけるブラインドの状態又は所定周期で送信される制御信号に基づいたブラインドの状態のうち少なくとも一方を記憶手段に記憶しておくことができるため、外部制御装置との連動が解除されたときに、ブラインの状態に変化があっても最後に記憶した状態情報に基づいてブラインドの状態を制御することができる。よって、手元操作を反映したブラインドの状態とすることができる。
【発明の効果】
【００１７】
本発明によれば、自動制御等によって変更されたブラインドの状態が所望の状態でない場合に、所望のブラインドの状態に戻すことが可能である。なお、本発明のその他の効果については、以下の発明を実施するための形態の項でも説明する。
【図面の簡単な説明】
【００１８】
【図１】第１の実施形態にかかるブラインド制御システムの構成を示す図である。
【図２】ブラインドの構成を示すブロック図である。
【図３】ブラインドの制御を示す図である。
【図４】第２の実施形態にかかるブラインド制御システムの構成を示す図である。
【図５】ブラインドの構成を示すブロック図である。
【図６】ブラインドの制御を示す図である。
【図７】第２の実施形態にかかるブラインド制御システムの応用例を示す図である。
【図８】従来のブラインドの制御を示す図である。
【発明を実施するための形態】
【００１９】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００２０】
（第１の実施形態）
本発明の第１の実施形態について、図１〜図３を参照しながら説明する。本実施形態では、建物内において複数のフロアにまたがって配設される複数のブラインドを、中央制御装置によって制御する場合を例に挙げて説明する。
【００２１】
本実施形態のブラインド制御システム１００は、図１に示したように、建物の屋上などに設置される日照検出装置１１０と、建物内に設置されるフロア中継装置１２０、ブラインド通信線１３０、中央制御装置１４０、及びブラインド１５０とを備えて構成される。なお、図１では、本実施形態の説明に必要な構成のみを図示している。以下、順に説明する。
【００２２】
日照検出装置１１０は、照度を測定するものであり、例えば特開２００７−１０１５０１号に記載された日照検出装置が設置される。
【００２３】
フロア中継装置１２０は、各フロアに設けられており、中央制御装置１４０からの信号を変換して該当するフロアのブラインド１５０に伝達したり、該当するフロアのブラインド１５０の状態を一時的に保存したりする。フロア中継装置１２０は、日照検出装置１１０と接続されており、日照検出装置１１０の照度値を一時保存する。
【００２４】
ブラインド通信線１３０は、日照検出装置１１０、フロア中継装置１２０、中央制御装置１４０及びブラインド１５０を接続しており、ブラインド１５０の制御に関する信号を伝達するための通信線である。
【００２５】
（中央制御装置１４０）
中央制御装置１４０は、ブラインド１５０の制御及び状態を管理するものである。中央制御装置１４０は、演算手段（ＣＰＵ）、記憶手段（例えば、ＲＯＭ、ＲＡＭ等）等、少なくとも一般的な電子計算機と同様の機能部を有し、所定のプログラムに従いデータの転送、演算、一時的なデータの格納またはメインプログラムの格納等を行う。また、中央制御装置１４０は、フロア中継装置１２０を介してブラインド１５０との間でデータの入出力を行ったり、データ及びプログラムの格納を行ったりする。より具体的には、中央制御装置１４０は、日照検出装置１１０により測定された照度値に基づいて、晴れ又は曇りの判定を行ったり、ブラインド１５０を後述するスラット１５８の回転角度の計算をしてブラインド１５０に自動制御のデータを送信したり、スケジュールの管理、建物全体のブラインドの制御や、ブラインドの状態の取得なども行う。
【００２６】
また、中央制御装置１４０は、ブラインド１５０の状態を制御する制御信号のほかに、本実施形態に特有の制御信号として、現在のブラインド１５０の状態を記憶するよう指示する信号（以下、状態保持信号という）と、ブラインド１５０の状態復元を指令する信号（以下、状態復元信号という）を、ブラインド１５０の制御部１５４にそれぞれ送信する。なお、この点については、さらに後述する。
【００２７】
（ブラインド１５０）
ブラインド１５０は、例えば電動で開閉する横型ブラインドであり、図１に示したように各フロアに複数台設けられる。
【００２８】
ブラインド１５０の詳細について、図２を参照しながら説明する。
ブラインド１５０は、図２に示したように、ユーザが任意にブラインド１５０の状態に関する指令を送信するコントローラ１５２と、コントローラ１５２からの信号又は中央制御装置１４０からの指示を受信してブラインド１５０の状態を制御する制御部１５４と、ブラインド１５０の状態に関する状態情報を記憶する記憶部１５６（第１、第２記憶部１５６−１、１５６−２）と、制御部１５４によって開閉状態が制御されるスラット１５８と、を備えて構成される。なお、図２では、本実施形態の説明に必要な構成のみを図示している。以下、順に説明する。
【００２９】
コントローラ１５２は、ブラインド１５０を手元で操作するためのものであり、１つ又は２つ以上のブラインド１５０ごとに設けられている（図１も参照のこと）。コントローラ１５２は、上述した中央制御装置１４０が送信する信号と同様の信号を、後段の制御部１５４に送信する。すなわち、コントローラ１５２は、ブラインド１５０の状態を制御する制御信号のほかに、本実施形態に特有の制御信号として、現在のブラインド１５０の状態を記憶するよう指示する状態保持信号と、ブラインド１５０の状態復元を指令する状態復元信号を、ブラインド１５０の制御部１５４にそれぞれ送信する。なお、この点については、さらに後述する。
【００３０】
制御部１５４は、中央制御装置１４０又はコントローラ１５２からの信号を受信し、その信号に基づいてブラインド１５０の状態を制御する。制御部１５４は、中央制御装置１４０による周期的な自動制御が行われるとともに、コントローラ１５２による手動制御が行われる。中央制御装置１４０による自動制御の周期は任意に設定可能であり、例えば６０分に設定される。
【００３１】
また、制御部１５４は、中央制御装置１４０又はコントローラ１５２から状態保持信号を受信すると、後述する第２記憶部１５６−２に現在のブラインド１５０の状態を記憶させる。さらに、制御部１５４は、中央制御装置１４０又はコントローラ１５２から状態復元信号を受信すると、第２記憶部１５６−２に記憶された状態情報に基づいて、ブラインド１５０の状態を制御する。ここで、ブラインド１５０の状態とは、スラット１５８の回転角度の度合い及びスラット１５８の昇降高さの度合いなどの状態である。
【００３２】
記憶部１５６は、書き換え可能なメモリであるＲＡＭなどで構成され、第１記憶部１５６−１と第２記憶部１５６−２とからなる。第１記憶部１５６−１は、自動制御又は手動制御によって制御部１５４により順次変更されるブラインド１５０の状態を、変更された時点で上書きにて記憶する。
【００３３】
一方、本実施形態に特徴的な構成要素である第２記憶部１５６−２は、制御部１５４が中央制御装置１４０又はコントローラ１５２からの状態保持信号を受信すると、その受信された時点でのブラインド１５０の状態を記憶する。第２記憶部１５６−２は、自動制御又は手動制御によりブラインド１５０の状態が変更されて、第１記憶部１５６−１の記憶内容が変更されても、その変更されたブラインド１５０の状態を上書きで記憶することはない。
【００３４】
以上、本実施形態にかかるブラインド制御システム１００の構成について説明した。次に、ブラインド制御システム１００におけるブラインド１５０の制御について、図３を参照しながら説明する。
【００３５】
制御部１５４が中央制御装置１４０からの指示に従って、ブラインド１５０の状態を状態Ａ、状態Ｂ、・・・と変更する自動制御を行うと、図３に示したように、第１記憶部１５６−１は、これら変更されていく状態Ａ、状態Ｂ、・・・を順次上書きで記憶していく。
【００３６】
そして、制御部１５４における制御の状態が状態Ｃのときに、制御部１５４が中央制御装置１４０又はコントローラ１５２からの状態保持信号を受信すると、図３に示したように、第２記憶部１５６−２は、この状態Ｃを記憶する。このときに第２記憶部１５６−２に記憶される状態情報は、状態Ｃのスラット１５８の回転角度とブラインド１５０の高さである。第２記憶部１５６−２は制御部１５４が状態保持信号を受信したときのみ、その受信した時点での状態を記憶し、その他の状態は記憶しないようになっている。
【００３７】
その後、制御部１５４における制御の状態が状態Ｄ、状態Ｅ、・・・と変更されていくと、第１記憶部１５６−１は、これら変更されていく状態Ｄ、状態Ｅ、・・・を順次上書きで記憶していく。一方、第２記憶部１５６−２は、記憶内容を状態Ｃのまま保持している。そして、制御部１５４における制御の状態が状態Ｅのときに、制御部１５４が中央制御装置１４０又はコントローラ１５２からの状態復元信号を受信すると、制御部１５４は、第２記憶部１５６−２が記憶している状態Ｃを読み出す。そして、制御部１５４は、状態Ｃに基づいてブラインド１５０の状態を制御する。
【００３８】
（第１の実施形態の効果）
以上説明したように、本実施形態によれば、過去の時点におけるブラインド１５０の状態に関する状態情報を、記憶内容が上書きされない第２記憶部１５６−２に記憶することによって、中央制御装置１４０による自動制御によりブラインド１５０の状態に変化があっても、その過去の時点における状態情報に基づいて、所望のブラインド１５０の状態に戻すことが可能である。
【００３９】
（第２の実施形態）
本発明の第２の実施形態について、図４〜図６を参照しながら説明する。本実施形態では、ブラインドの制御及び状態を管理する中央制御装置に外部制御装置を接続し、外部制御装置により、中央制御装置による制御の状態とは異なる状態にブラインドの状態を変更する連動制御や割込制御を行うようにしたものである。なお、本実施形態では、上記第１の実施形態と異なる部分を中心に説明する。
【００４０】
本実施形態のブラインド制御システム２００は、図４に示したように、建物の屋上などに設置される日照検出装置２１０と、建物内に設置されるフロア中継装置２２０、ブラインド通信線２３０、中央制御装置２４０、ブラインド２５０、外部制御装置２６０、及び外部通信線２７０と、を備えて構成される。
【００４１】
上記ブラインド制御システム２００の構成要素のうち、日照検出装置２１０、フロア中継装置２２０、ブラインド通信線２３０、及び中央制御装置２４０については、上記第１の実施形態（図１）における日照検出装置１１０、フロア中継装置１２０、ブラインド通信線１３０、及び中央制御装置１４０と実質的に同様のものを用いることができる。
【００４２】
ブラインド２５０は、図５に示したように、コントローラ２５２と、制御部２５４と、記憶部２５６（第１、第２記憶部２５６−１、２５６−２）と、スラット２５８と、を備えて構成される。これらは第１の実施形態（図２）におけるコントローラ１５２、制御部１５４、第１、第２記憶部１５６−１、１５６−２、及びスラット１５８とそれぞれ実質的に同様のものを用いることができる。
【００４３】
（外部制御装置２６０）
本実施形態において特徴的な構成である外部制御装置２６０について説明する。
外部制御装置２６０は、例えば空調、照明、防災などの情報に基づいて中央制御装置２４０に通達信号を送信し、中央制御装置２４０に一時的に連動制御を行わせるものである。この連動制御により、ブラインド２５０の高さ及びスラット２５８の回転角度が制御される。このような外部制御装置２６０としては、例えば、インテリジェントビル用ネットワークのための通信規格であるＢＡＣｎｅｔ（Building Automation and Control Networking protocol）を用いることができる。
【００４４】
外部制御装置２６０は、図４に示したように、外部通信線２７０により、中央制御装置２４０と接続され、外部制御装置２６０と中央制御装置２４０との間で信号が送受信される。外部制御装置２６０と中央制御装置２４０との連動時には、そのことがユーザに分かるように、ブラインド２５０のコントローラ２５２に所定の表示を行うことができる。例えば、コントローラ２５２に発光ダイオード（ＬＥＤ）を設けて、外部制御装置２６０と中央制御装置２４０との連動時には、ＬＥＤを点滅させるようにしてもよい。
【００４５】
以上、本実施形態にかかるブラインド制御システム２００の構成について説明した。次に、ブラインド制御システム２００におけるブラインド２５０の制御について、図６を参照しながら説明する。
【００４６】
本実施形態の制御では、リモートモードとローカルモードの２つの制御モードがある。リモートモードでは、各ブラインド２５０において、中央制御装置２４０による制御が優先される。ローカルモードでは、各ブラインド２５０において、コントローラ２５２による制御が優先される。まず、リモートモードについて説明する。
【００４７】
（リモートモード）
制御部２５４が中央制御装置２４０からの指示に従って、ブラインド２５０の状態を状態Ａ、状態Ｂ、・・・と変更する自動制御を行うと、図６に示したように、第１記憶部２５６−１は、これら変更されていく状態Ａ、状態Ｂ、・・・を順次上書きで記憶していく。
【００４８】
そして、制御部２５４における状態が状態Ｃのときに、外部制御装置２６０が中央制御装置２４０に通達信号を送信すると、中央制御装置２４０からの信号により制御部２５４は連動制御を行う。これにより、ブラインド２５０は、高さ及びスラット２５８の回転角度が通達信号に基づいた状態に制御される。例えば、通達信号に基づいて制御されたブラインド２５０の高さは１、角度は１５とする。
【００４９】
また、これと同時に、制御部２５４は第２記憶部２５６−２に状態Ｃを記憶させる。このときに第２記憶部２５６−２に記憶されるデータは、状態Ｃのブラインド２５０の高さとスラット２５８の回転角度である、高さ：８、角度：８の値である。第２記憶部２５６−２は、制御部２５４が連動制御を開始した時点での自動制御の状態を記憶し、その他の状態は記憶しないようになっている。したがって、第２記憶部２５６−２は状態Ｃのみを記憶する。
【００５０】
この後、制御部２５４では連動制御が行われるため、ブラインド１５０の状態が高さ：１、角度：１５に変更される。この状態Ｄは、第１記憶部２５６−１に上書きで記憶されるが、第２記憶部２５６−２には上書き記憶されない。また、連動制御中は自動制御が中断されるため、制御部２５４は中央制御装置２４０からの自動制御データは受信しない。このため、制御部２５４は次の自動制御の周期で、中央制御装置２４０から角度：７のデータは受信せずに、外部制御装置２６０からの連動制御による状態Ｄのままである。
【００５１】
次の自動制御の周期でも引き続き連動制御が行われているため、制御部２５４は、中央制御装置２４０から角度：５のデータを受信せずに、外部制御装置２６０からの連動制御データのみ受信する。これにより、制御部２５４における自動制御の状態は、状態Ｅに変更される。この状態Ｅは、第１記憶部２５６−１に上書きで記憶されるが、第２記憶部２５６−２には記憶されない。
【００５２】
そして、状態が状態Ｅから次の状態に変更される周期の途中で、通達信号の送信が終了すると、外部制御装置２６０と中央制御装置２５３との連動が解除される。これにより、ブラインド２５０は制御部２５４による自動制御に戻り、このタイミングで中央制御装置２４０から制御部２５４に状態復元信号が送信される。これにより、図６に示したように、制御部２５４は、第２記憶部２５６−２が記憶している状態Ｃを読み出し、状態Ｃに基づいてブラインド２５０の状態を制御する。
【００５３】
なお仮に、連動制御から自動制御に戻ったタイミングで中央制御装置２４０から制御部２５４に状態復元信号が送信されないと、制御部２５４は第１記憶部２５６−１から状態Ｅを読み出し、ブラインド２５０は、状態Ｅの状態に制御されることになる。この状態の高さは、連動制御が始まる前の状態であるとともに、本体の自動制御が継続されていた場合のブラインド２５０の高さ：８とは大きく異なる可能性があり、ブラインド２５０の状態が所望の状態（高さ）でない可能性が高くなる。
【００５４】
しかし、本実施形態では、連動制御から自動制御に戻ったタイミングで、制御部２５４は状態Ｃに基づいてブラインド２５０の状態を制御することができるため、自動制御に復帰したブラインド２５０の状態を所望の状態（高さ）にすることができ、次の自動制御の周期において本来の自動制御によるブラインドの状態に復元させることができる。
【００５５】
なお上記では、外部制御装置２６０との連動時に、連動制御が開始された時点でのブラインド２５０の状態を自動的に記憶するようにしたが、任意のタイミングで制御部２５４に状態保持信号が送信され、その時点での状態が記憶されるようにしてもよい。また、状態復元信号に関しても任意のタイミングで制御部２５４に送信されるようにしてもよい。
【００５６】
以上、リモートモードの制御について説明した。次に、ローカルモードの制御について説明する。
【００５７】
（ローカルモード）
ローカルモードでは、外部制御装置２６０と中央制御装置２４０との連動が解除されているときに、各ブラインド２５０において、上記中央制御装置２４０による制御よりもコントローラ２５２による制御が優先される。ユーザは、コントローラ２５２から制御部２５４に任意のタイミングで状態保持信号及び状態復元信号を送信して、任意の時点でのブラインド２５０の状態を第２記憶手段２５５に記憶させたり、連動制御から自動制御に戻った後も、任意のタイミングでブラインド２５０の状態を復元させたりすることができる。
【００５８】
（第２の実施形態の効果）
以上説明したように、本実施形態によれば、外部制御装置２６０から通達信号が送信された時点におけるブラインド２５０の状態に関する状態情報を、記憶内容が上書きされない第２記憶部２５６−２に記憶できるようにしたことで、外部制御装置２６０との連動が解除されたときに、その外部記憶装置２６０から通達信号が送信された時点における状態情報に基づいて、所望のブラインド２５０の状態に戻すことが可能である。
【００５９】
また、リモートモード時には、通達信号受信時点におけるブラインド２５０の状態又は所定周期で送信される制御信号に基づいたブラインド２５０の状態のうち少なくとも一方を第２記憶部２５６−２に記憶しておくことができるため、外部制御装置２６０との連動が解除されたときに、記憶しておいた状態情報に基づいてブラインド２５０の状態を制御することができる。よって、自動制御を反映した開閉状態とすることができる。
【００６０】
さらに、ローカルモード時には、通達信号受信時点におけるブラインドの状態又は所定周期で送信される制御信号に基づいたブラインドの状態のうち少なくとも一方を第２記憶部２５６−２に記憶しておくことができるため、外部制御装置２６０との連動が解除されたときに、ブラインド２５０の状態に変化があっても、記憶しておいた状態情報に基づいてブラインド２５０の状態を制御することができる。よって、手元操作を反映したブラインド２５０の状態とすることができる。
【００６１】
なお、本実施形態では、ブラインド制御システム２００として、図４に示した構成を説明したが、図７に示したような構成としてもよい。図７に示した構成例は、外部通信線２７０により、外部制御装置２６０を中央制御装置２４０と接続するのみならず、各フロア中継装置２２０とも接続したものである。かかる構成によっても、図４に示した構成のものと同様の制御が可能である。
【００６２】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００６３】
例えば、上記実施形態においては、記憶部（１５６、２５６）に、記憶内容が上書きされない第２記憶部（１５６−２、２５６−２）を１つ設け、１つの状態（状態Ｃ）を記憶させることについて説明したが、本発明はこれに限定されない。第２の記憶部に相当する記憶部を複数設けて、複数の状態情報を記憶するようにしてもよい。そして、状態復元信号に、記憶された複数の状態情報のうちの一つを選択するための情報を含めることによって、複数の状態情報のうちの一つに基づいてブラインドの状態を制御することが可能である。また上記実施形態では、外部制御装置２６０との連動制御中は自動制御が中断されることとしたが、中央制御装置２４０からの自動制御による各状態データを制御部２５４が受信して記憶部に記憶できるようにしてもよい。これによれば、記憶部には最新の自動制御データが記憶されているため、自動制御復帰時には直ちに所望の開閉状態に復元することが可能となる。
【００６４】
また、上記実施形態においては、状態復元信号によって復元されるブラインドの状態として、ブラインドの「高さ」及び「角度」を例に説明したが、本発明はこれに限定されない。状態復元信号によって復元する対象として、ブラインドの他の状態を復元するようにしてもよく、さらに、ブラインド制御システムの他の装置、例えば、中央制御装置やコントローラの各種状態（例えば、操作の有効・無効、操作モードの変更、操作の優先順位など）を復元するようにしてもよい。
【００６５】
さらに、上記実施形態においては、複数のブラインドを中央制御装置により制御する例を説明したが、本発明はこれに限定されない。中央制御装置を用いず、ブラインド単体で自動制御を行う場合も、上記実施形態と同様に、ブラインドの状態の記憶し、記憶された状態を復元することが可能である。
【００６６】
また、上記実施形態では、横型ブラインドを例に挙げて説明したが、本発明はこれに限定されず、縦型ブラインド、ロールスクリーン、カーテン、シャッタ等の任意の電動開閉装置に適用することができる。このようなブラインドの場合、制御の対象であるブラインドの状態としては、例えば、縦型ブラインドでは、ルーバの回転角度の度合い及びルーバの移動位置の度合いとすることができる。また、ロールスクローンでは、スクリーンの昇降高さの度合い、カーテンでは、生地の移動位置の度合い、シャッタでは、シャッタの昇降高さの度合い、などとすることができる。
【符号の説明】
【００６７】
１００  ブラインド制御システム（第１の実施形態）
１１０  日照検出装置
１２０  フロア中継装置
１３０  ブラインド通信線
１４０  中央制御装置
１５０  ブラインド
１５２  コントローラ
１５４  制御部
１５６−１  第１記憶部
１５６−２  第２記憶部
１５８  スラット
２００  ブラインド制御システム（第２の実施形態）
２６０  外部制御装置
２７０  外部通信線
【図１】
2015229859.tif 000003
【図２】
2015229859.tif 000004
【図３】
2015229859.tif 000005
【図４】
2015229859.tif 000006
【図５】
2015229859.tif 000007
【図６】
2015229859.tif 000008
【図７】
2015229859.tif 000009
【図８】
2015229859.tif 000010